(57)【特許請求の範囲】
【請求項１】
携帯可能な出目予想装置において、
出目予想すべきレースの出走数を設定入力するための出走数設定手段と、
この出走数設定手段で設定された出走数を表示する出走数表示手段と、
第１の出目数の表示指示を入力するための第１の出目数表示指示入力手段と、
この第１の出目数表示指示手段による表示指示に応答して前記出走数を超えない範囲で第１の出目数をランダムに決定する第１の出目数決定手段と、
この第１の出目数決定手段で決定された第１の出目数を表示する第１の出目数表示手段と、
前記第１の出目数と共に前記出目予想すべきレースの連勝組合せを構成する第２の出目数の表示指示を入力するための第２の出目数表示指示入力手段と、
この第２の出目数表示指示手段による表示指示に応答して前記出走数を超えない範囲でかつ第１の出目数と重ならない第２の出目数をランダムに決定する第２の出目数決定手段と、
この第２の出目数決定手段で決定された第２の出目数を表示する第２の出目数表示手段とを備え、
前記第１の出目数決定手段は、ランダムな時間計数動作を実行する第１のカウンタと、該第１のカウンタの計数値が前記出走数よりも大きい場合に、該第１のカウンタをリセットする比較器とを備えることにより、前記出走数を超えない範囲で第１の出目数をランダムに決定するものであり、
前記第２の出目数決定手段は、ランダムな時間計数動作を実行する第２のカウンタと、該第２のカウンタの計数値が前記出走数よりも大きい場合に、該第２のカウンタをリセットする比較器と、前記第２のカウンタの計数値が前記第１の出目数決定手段の第１のカウンタの計数値と一致した場合に、前記第２のカウンタの計数動作を再実行させる一致検出部とを備えることにより、前記出走数を超えない範囲でかつ第１の出目数と重ならない第２の出目数をランダムに決定するものである
ことを特徴とする出目予想装置。
【請求項２】
出目の軸番を設定するための軸番設定手段と、
この軸番設定手段で設定された軸番を表示する軸番表示手段とをさらに備え、
前記第１及び第２の出目数決定手段は、前記軸番設定手段で設定された軸番以外の出目数をランダムに決定するものであることを特徴とする請求項１記載の出目予想装置。
【発明の詳細な説明】
【０００１】
【発明の属する技術分野】
この発明は、競馬，競輪，競艇等のレースの出目数を予想する出目予想装置に関する。
【０００２】
【従来の技術】
従来より、無作為に数字を抽出して表示するような電子サイコロ装置としては、例えば特開昭53-120940号公報に開示されている「数字の無作為表示装置」や特公昭54-16260号で登録されている「電子サイコロ」等が知られている。
【０００３】
【発明が解決しようとする課題】
しかしながら、上述した数字の無作為表示装置では、純粋に数字を無作為に表示することが目的であり、レースの出目数を予想できるものはない。
【０００４】
この発明は、このような問題点に鑑みなされたもので、レースの出目数を予想することができる出目予想装置を提供することを目的とする。
【０００５】
【課題を解決するための手段】
本発明に係る出目予想装置は、出目予想すべきレースの出走数を設定入力するための出走数設定手段と、この出走数設定手段で設定された出走数を表示する出走数表示手段と、第１の出目数の表示指示を入力するための第１の出目数表示指示入力手段と、この第１の出目数表示指示手段による表示指示に応答して前記出走数を超えない範囲で第１の出目数をほぼランダムに決定する第１の出目数決定手段と、この第１の出目数決定手段で決定された第１の出目数を表示する第１の出目数表示手段と、 前記第１の出目数と共に前記出目予想すべきレースの連勝組合せを構成する第２の出目数の表示指示を入力するための第２の出目数表示指示入力手段と、この第２の出目数表示指示手段による表示指示に応答して前記出走数を超えない範囲で第２の出目数をほぼランダムに決定する第２の出目数決定手段と、この第２の出目数決定手段で決定された第２の出目数を表示する第２の出目数表示手段とを備えてなることを特徴とする。
【０００６】
また、この発明に係る出目予想装置は、好ましくは出目の軸番を設定するための軸番設定手段と、この軸番設定手段で設定された軸番を表示する軸番表示手段とをさらに備え、前記第１及び第２の出目数決定手段は、前記軸番設定手段で設定された軸番以外の出目数をほぼランダムに決定するものであることが望ましい。
【０００７】
本発明によれば、出目予想装置において、出走数を予め設定できるように構成し、出目数をその設定された数値の範囲内において表示することにより、その範囲内での数字のランダム表示が可能となる。
【０００８】
【発明の実施の形態】
以下、図面を参照して、この発明に係る出目予想装置の好ましい実施の形態について説明する。
図１は、この発明の一実施例に係る競馬の予想等に用いられる出目予想装置の外観斜視図である。
同図(a)に示すように、競馬の予想等に用いられる出目予想装置１は、携帯電話程度の大きさの本体ボディ1aからなり、正面パネル２には、例えば液晶の７セグメント表示器からなる出走数表示部３と出目数表示部4a，4bとが設けられ、出走数表示部３の上方には例えば太陽電池からなる電源５が備えられている。更に、この競馬の予想等に用いられる出目予想装置１の本体ボディ1aの外周部６の片側側面部には、競馬の出走数を設定するための出走数設定用ボタンスイッチ7aと出目数表示部4a及び4bに数字を表示させるための出目数表示用ボタンスイッチ8a，8bとが設けられている。また、外周部６の上方側面部には、ストラップ等を括り付けることができるストラップ止め９が設けられ、両側側面部の下方部分には手に持ったときに本体ボディ1aが滑らないようにする滑り止め10が備えられている。
【０００９】
次に、この競馬の予想等に用いられる出目予想装置１の操作方法について説明する。仮に18頭立てのレースとした場合、まず出走数設定用ボタンスイッチ7aを押してその出走頭数を入力する。入力された出走数は出走数表示部３に表示される。次に、例えば出目数表示用ボタンスイッチ8aを押すと出目数表示部4aに、ボタンスイッチ8bを押すと表示部4bに、というように出走数表示部３に表示された数値以内の２つのランダムな数値が馬番連勝予想値として表示される。このとき出目数表示部4a及び4bに表示される数字は、設定により同一数字にならないようにすることもできる。
【００１０】
図２は、この実施例に係る競馬の予想等に用いられる出目予想装置の内部の回路構成を示すブロック図である。
まず、出走数設定用ボタンスイッチ7aからの入力信号によって、カウンタ11を計数動作させてカウンタ11の内部に出走数を設定する。カウンタ11に設定された出走数は、デコーダ17で２進データから７セグメントデータにデコードされ、出走数表示部３に表示される。出目数表示用スイッチ8a，8bのＯＮ信号は、ゲート信号生成部12a，12bにそれぞれ入力されている。ゲート信号生成部12a，12bでは、スイッチ8a，8bの押圧操作の強さや長さによって、又は全くランダムな長さのゲート信号G1，G2をそれぞれ出力する。発信器13から出力されたパルス信号は、これらのゲート信号G1，G2がアクティブな間だけゲート回路14a，14bをそれぞれ通過してカウンタ15a，15bをそれぞれカウントアップさせる。カウンタ15a，15bに記憶された数値（出目数）は、比較器16a，16bにおいて、カウンタ11内の出走数と比較される。比較器16a，16bは、カウンタ15a，15bの数値がカウンタ11の出走数よりも大きい場合には、カウンタ15a，15bをリセットする。また、一致検出部19は、カウンタ15a，15b内の出目数が一致した場合にゲート信号生成部12bを起動して、カウンタ15bのみのカウント動作を再実行させて、両数値が重ならないようにする。カウンタ15a，15bからの２進データはデコーダ18a，18bにてそれぞれ７セグメントデータにデコードされたのち、出目数表示部14a，14bに表示される。
【００１１】
本発明の競馬の予想等に用いられる出目予想装置は、このような構成にすることにより、最初に出走数を任意に設定し、その設定された数値の範囲内で数字をランダムに抽出した後に表示することができるので、単純に数字を無作為に抽出して表示するものよりも、更に高い信頼感を得ることができる。
【００１２】
同図(b)は他の実施例に係る競馬の予想等に用いられる出目予想装置を示す図である。この電子サイコロ装置１は、同図(a)に示すものと同様の構成になっているが、本体ボディ1bの外周部６の片側側面部には、競馬の出走数を設定するための出走数設定用ボタンスイッチ7aの代わりに、出走数設定用ダイヤルスイッチ7bが設けられている。この出走数設定用ダイヤルスイッチ7bをその回転方向に回すことにより出走頭数を入力し、出走数表示部３に任意の数字を表示させる。
【００１３】
また、この発明の更に他の実施例に係る競馬の予想等に用いられる出目予想装置としては、次のようなものが考えられる。
図３は、この発明の更に他の実施例に係る競馬の予想等に用いられる出目予想装置の外観斜視図である。なお、以下に述べる実施例において、上述した実施例の説明と重複する部分の説明については割愛する。
同図(a)に示すように、この競馬の予想等に用いられる出目予想装置20の正面パネル２には、出走表示部３と出目数表示部4a，4bの他に軸番表示部24が設けられている。更に、この装置20の本体ボディ1cの外周部６の片側側面部には、出走数設定用ボタンスイッチ7aと出目数表示用ボタンスイッチ8a，8bの他に軸番数設定用ボタンスイッチ21が設けられている。
【００１４】
次に、この軸番数設定用ボタンスイッチ21と軸番数表示部24について説明する。軸番数設定用ボタンスイッチ21は、競馬の予想等に用いられる出目予想装置20に入力された出走数の範囲内で、使用者が任意に軸馬の数字を設定するためのスイッチであり、軸番数表示部24は、その設定された数値を数字として表示するためのものである。例えば、軸番数設定用ボタンスイッチ21を押した回数が軸番数としてこの装置20に入力され、軸番数表示部24にその数字を表示することにより、１着の馬を任意に設定して、２着，３着の馬を予想する等の使い方ができる。
【００１５】
この装置20の内部の回路構成としては、図４に示すようなものが考えられる。即ち、軸番数設定用ボタンスイッチ21からの入力信号によって、カウンタ22を計数動作させ、その内部に軸番数を設定する。カウンタ22に設定された軸番数は、デコーダ23で２進データから例えば７セグメントデータにデコードされ、軸番数表示部24に表示される。このとき、カウンタ22から出力される軸番数は、一致検出部19にも入力され、ここでカウンタ15a，15b内の出目数と一致するかどうかが検討される。もし、数値が重なるようであれば、一致検出部19は、ゲート信号生成部12a，12bを起動して、カウント動作を再実行させて、軸番数と出目数との重なりを防止する。
【００１６】
同図(b)は更に他の実施例に係る競馬の予想等に用いられる出目予想装置を示すものである。この装置20は、同図(a)に示すものと同様の構成になっているが、本体ボディ1dの外周部６の片側側面部には、競馬の出走数を設定するための出走数設定用ボタンスイッチ7aの代わりに、出走数設定兼軸番数設定用ダイヤルスイッチ7cが設けられている。更に、設定切替用スイッチ25も設けられている。この設定切替用スイッチ25で設定対象を切り替えた後、この出走数設定兼軸番数設定用ダイヤルスイッチ7cをその回転方向に回すことにより、出走頭数又は軸番数を入力し、出走数表示部３及び軸番数表示部24に任意の数字を表示させる。この場合、例えば出走数表示部３及び軸番数表示部24を兼用する表示部（図示せず）を設け、設定切替用スイッチ25の切替動作と連動して表示対象が切り替わるようにしても良い。
【００１７】
なお、本発明の予め表示される数字の範囲を決定しておき、その範囲内においてランダムに数字を表示するという要旨を逸脱しない範囲であれば、種々の実施形態が考えられ、例えば競馬だけでなく、他の公営競技等にも利用できることはいうまでもない。
【００１８】
【発明の効果】
以上述べたようにこの発明によれば、出目予想装置において、出走数を予め設定できるように構成することにより、出目数をその設定された数値の範囲内において表示するので、使用者はより高い信頼感を得ることができるという効果を奏する。
【図面の簡単な説明】
【図１】  この発明の一実施例に係る競馬の予想等に用いられる出目予想装置の外観斜視図である。
【図２】  同装置の内部の回路構成を示すブロック図である。
【図３】  この発明の他の実施例に係る競馬の予想等に用いられる出目予想装置の外観斜視図である。
【図４】  同装置の内部の回路構成を示すブロック図である。
【符号の説明】
１，20…競馬の予想等に用いられる出目予想装置、1a，1b，1c，1d…本体ボディ、２…正面パネル、３…出走数表示部、4a，4b…出目数表示部、５…電源、６…外周部、7a…出走数設定用ボタンスイッチ、7b…出走数設定用ダイヤルスイッチ、7c…出走数設定兼軸番数設定用ボタンスイッチ、8a，8b…出目数表示用ボタンスイッチ、９…ストラップ止め、10…滑り止め、21…軸番数設定用ボタンスイッチ、24…軸番数表示部、25…設定切替用ボタンスイッチ。
【図１】
0004927242.tif 000002
【図２】
0004927242.tif 000003
【図３】
0004927242.tif 000004
【図４】
0004927242.tif 000005